(57)【要約】【課題】設置が容易で、製造コストを抑えた商品陳列用具を提供する。【解決手段】  バー１００と、商品を吊り下げて陳列する商品吊下棒２００とを備えた商品陳列用具３００であって、バー１００は、商品吊下棒２００の後端部２１０を挿入可能な挿入孔１５０と、挿入孔１５０の前方に広がり、商品吊下棒２００の後端部２１０を支持する支持面１４０とを備え、商品吊下棒２００の後端部２１０の上面には、挿入孔１５０に係止する係止部２１１が設けられ、商品吊下棒２００の後端部２１０の下面には、支持面１４０に当接する当接部２１２が設けられていることを特徴とする。【選択図】図４
2020127534.tif 000002
【特許請求の範囲】
【請求項１】
バーと、商品を吊り下げて陳列する商品吊下棒とを備えた商品陳列用具であって、
前記バーは、前記商品吊下棒の後端部を挿入可能な挿入孔と、当該挿入孔の前方に広がり、前記商品吊下棒の後端部を支持する支持面とを備え、
前記商品吊下棒の後端部の上面には、前記挿入孔に係止する係止部が設けられ、
前記商品吊下棒の後端部の下面には、前記支持面に当接する当接部が設けられていることを特徴とする商品陳列用具。
【請求項２】
前記バーの支持面には、前記挿入孔と直線状に並ぶ案内溝が設けられ、
当該案内溝は、前記挿入孔に挿入された前記商品吊下棒の後端部を挟み込むことを特徴とする請求項１に記載の商品陳列用具。
【請求項３】
前記商品吊下棒の当接部は平坦面となっており、
前記バーの支持面も平坦面となっていることを特徴とする請求項１又は２に記載の商品陳列用具。
【請求項４】
前記商品吊下棒の中央側は、前記商品吊下棒の後端側よりも下方へ位置していることを特徴とする請求項１から３のいずれかに記載の商品陳列用具。
【発明の詳細な説明】
【技術分野】
【０００１】
本願発明は、店舗等で商品を吊り下げて陳列する際に用いる商品陳列用具に関するものである。
【背景技術】
【０００２】
従来の特許文献１に示すような商品陳列用具７００は、図５に示すように、店頭等に設置された商品陳列棚のバー４００に、取り付けられて使用されていた。具体的には、この商品陳列用具７００は、バー４００を前端部５０１と後端部５０２とで挟み込んで、バー４００に取り付けられる本体部５００と、この本体部５００の挿入孔５１０に挿入固定される商品吊下棒６００とを備える。そして、商品を補充する際は、商品を吊り下げた商品吊下棒６００を本体部５００の挿入孔５１０からそのまま外し、商品吊下棒６００の後端部から商品を吊り下げて補充して、再び、商品吊下棒６００の後端部を本体部５００の挿入孔５１０に挿入固定していた。
【０００３】
しかしながら、この商品陳列用具７００は、バー４００に固定される本体部５００を別途用意して、バー４００に取り付けなければならず、それだけ商品陳列用具７００の設置作業の手間や製造コストがかかるものであった。
【先行技術文献】
【特許文献】
【０００４】
【特許文献１】特開２０１３−１３６４３号
【発明の開示】
【発明が解決しようとする課題】
【０００５】
そこで、本願発明は上記問題に鑑み、設置が容易で、製造コストを抑えた商品陳列用具を提供する。
【課題を解決するための手段】
【０００６】
本願発明の商品陳列用具は、バーと、商品を吊り下げて陳列する商品吊下棒とを備えた商品陳列用具であって、前記バーは、前記商品吊下棒の後端部を挿入可能な挿入孔と、当該挿入孔の前方に広がり、前記商品吊下棒の後端部を支持する支持面とを備え、前記商品吊下棒の後端部の上面には、前記挿入孔に係止する係止部が設けられ、前記商品吊下棒の後端部の下面には、前記支持面に当接する当接部が設けられていることを特徴とする。
【０００７】
上記特徴によれば、商品吊下棒の後端部の上面に設けられた係止部が、バーの挿入孔に挿入されて係止すると共に、商品吊下棒の後端部の下面に設けられた当接部がバーの支持面に当接しているので、バーは商品吊下棒から不用意に外れることがなく、しっかりと取り付けられた状態となる。また、商品陳列用具は、バーと商品吊下棒によって構成されていることから、従来と比較して製造コストを抑えることが出来る。さらに、商品吊下棒の後端部をバーの挿入孔に挿入して係止させれば、商品吊下棒をバーに取り付けることができることから、取付け作業が非常に容易である。
【０００８】
本願発明の商品陳列用具は、前記バーの支持面には、前記挿入孔と直線状に並ぶ案内溝が設けられ、当該案内溝は、前記挿入孔に挿入された前記商品吊下棒の後端部を挟み込むことを特徴とする。
【０００９】
上記特徴によれば、バーの支持面に案内溝が形成されており、商品吊下棒をバーに取り付ける際に、案内溝は商品吊下棒の後端部を挟み込んで左右にずれないように案内することができる。そのため、商品吊下棒のバーへの取付けが更に容易となる。
【００１０】
本願発明の商品陳列用具は、前記商品吊下棒の当接部は平坦面となっており、
前記バーの支持面も平坦面となっていることを特徴とする。
【００１１】
上記特徴によれば、商品吊下棒の当接部が平坦面であると共に、バーの支持面も平坦面となっているので、当接部と支持面の形状とが一致して互いに面接触することから、商品吊下棒は、バーの支持面により安定した状態でしっかりと支持される。
【００１２】
本願発明の商品陳列用具は、前記商品吊下棒の中央側は、前記商品吊下棒の後端側よりも下方へ位置していることを特徴とする。
【００１３】
上記特徴によれば、商品吊下棒の中央部側は、後端部側よりも下方へ位置しているので、商品吊下棒を傾けてバーに着脱する際に、中央部に吊り下げられた商品が不用意に後端部側へ移動して落下しないようになっている。
【発明の効果】
【００１４】
上記に記したように、本願発明の商品陳列用具は、設置が容易で、製造コストを抑えることができる。
【図面の簡単な説明】
【００１５】
【図１】（ａ）は本願発明の商品陳列用具のバーの全体斜視図、（ｂ）はバーの正面図、（ｃ）はバーの側面図である。
【図２】（ａ）は本願発明の商品陳列用具の商品吊下棒の平面図、（ｂ）は商品吊下棒の側面図である。
【図３】（ａ）は、本願発明の商品陳列用具の全体斜視図、（ｂ）は商品陳列用具の側面図である。
【図４】（ａ）は、商品陳列用具の全体斜視図、（ｂ）は商品陳列用具の正面図、（ｃ）はＡ―Ａ断面図である。
【図５】本願発明の従来技術にかかる商品陳列用具を示した全体斜視図である。
【符号の説明】
【００１６】
１００        バー
１４０        支持面
１５０        挿入孔
２００        商品吊下棒
２１０        後端部
２１１        係止部
２１２        当接部
３００        商品陳列用具
【発明を実施するための形態】
【００１７】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１８】
まず、図１に本願発明のバー１００を示す。なお、図１（ａ）はバー１００の全体斜視図、図１（ｂ）はバー１００の正面図、図１（ｃ）はバー１００の側面図である。また、本明細書における「上方向」とは、図１に示すように、水平方向に設置されたバー１００の長尺方向に対して垂直に交わる方向の上側のことであり、「下方向」とは、「上方向」の反対側を意味する。
【００１９】
図１に示すように、金属製の角柱形状のバー（棒状部材）１００は長尺状をしており、このバー１００は、店頭等に配置された商品陳列部に取り付けられて使用される。この商品陳列部とは、例えば、商品陳列棚等の任意の各種什器が想定される。バー１００は、金属製の板材を、図１に示すような形状に屈曲成形したものであり、垂直方向に上下に延びる平坦な後壁１１０と、当該後壁１１０の上端から水平方向に屈曲した平坦な上壁１２０と、当該上壁１２０から垂直方向へ屈曲した平坦な前壁１３０と、当該前壁１３０から水平方向に屈曲した平坦な支持面１４０とを備える。
【００２０】
また、上壁１２０には、等間隔で複数の貫通孔１２１が形成されている。この貫通孔１２１は任意に設けるもので、他の種類の商品陳列用具を取り付けることが出来るようになっている。さらに、後壁１１０と前壁１３０の間隔は、図５に示す従来のバー４００と同じ間隔にしてあるので、本願発明のバー１００には、従来の商品陳列用具７００を取り付けることができ、汎用性を高めている。
【００２１】
また、前壁１３０と支持面１４０に跨がるように、裏表に貫通した挿入孔１５０が、等間隔で複数設けられている。この挿入孔１５０は、後述するように商品吊下棒２００の後端部２１０を挿入できるように構成されている。なお、後壁１１０の下端１１１側は、挿入孔１５０よりも下方へ位置している。また、挿入孔１５０が前壁１３０と支持面１４０に跨がるように設けられているが、これに限定されることはなく、前壁１３０のみに挿入孔１５０を設けても良い。
【００２２】
さらに、支持面１４０の先端側から上方に立ち上がるように、等間隔で複数の立設部１６０が設けられている。そして、この隣接する立設部１６０同士の間には、立設部１６０から上下方向に直線状に延出する案内溝１７０が設けられている。この案内溝１７０は、後述する商品吊下棒２００を挿通させて挟み込むことができる。そして、支持面１４０に設けられた案内溝１７０は、図１（ｂ）に示すように、挿入孔１５０と直線状に並ぶ、言い換えると、挿入孔１５０の延長線上に並んでいる。そのため、後述するように、直線状に延びる棒状の商品吊下棒２００の後端部２１０を、挿入孔１５０に挿入できると共に、案内溝１７０にも挟み込むことが出来るのである。
【００２３】
次に、図２に本願発明の商品吊下棒２００を示す。なお、図２（ａ）は商品吊下棒２００の平面図、図２（ｂ）は商品吊下棒２００の側面図である。
【００２４】
商品吊下棒２００は、金属製の長尺状をした棒状部材であり、後端部２１０と、当該後端部２１０より下方へ屈曲した中央部２２０と、当該中央部２２０より上方へ屈曲した前端部２３０とを備える。この後端部２１０の上面側には、段状に突出した係止部２１１が形成されており、後述するように、係止部２１１はバー１００の挿入孔１５０に係止するように構成されている。また、後端部２１０の下面側には、平坦な当接部２１２が形成されており、後述するように、当接部２１２はバー１００の支持面１４０に当接するように構成されている。
【００２５】
また、中央部２２０は、商品が主に吊り下げられる部分であり、中央部２２０に吊り下げられた商品が不用意に落下しないように、前端部２３０は中央部２２０から上方へ向けて屈曲している。さらに、後述するように、商品吊下棒２００をバー１００に着脱する際は、商品吊下棒２００を傾けることから、中央部２２０に吊り下げられた商品が不用意に後端部２１０側へ移動して落下しないように、中央部２２０の末端には、中央部２２０の直線部分から上方へ向けて屈曲した屈曲部２２１を備える。
【００２６】
では次に、本願発明の商品陳列用具３００の使い方について説明する。なお、本願発明の商品陳列用具３００は、バー１００と商品吊下棒２００とを備える。また、図３（ａ）は、商品陳列用具３００の全体斜視図、図３（ｂ）は商品陳列用具３００の側面図、図４（ａ）は商品陳列用具３００の全体斜視図、図４（ｂ）は商品陳列用具３００の正面図、図４（ｃ）はＡ―Ａ断面図である。
【００２７】
まず、図３（ａ）に示すように、商品吊下棒２００をバー１００に取り付ける。具体的には、作業者は、商品吊下棒２００を斜めに傾けた状態で、商品吊下棒２００の後端部２１０をバー１００の挿入孔１５０へ挿入する。その際、隣接する立設部１６０の間の案内溝１７０に、商品吊下棒２００の後端部２１０が位置するように、商品吊下棒２００の位置及び姿勢を調節する。なお、後述するように、挿入孔１５０に後端部２１０の係止部２１１が係止することで、商品吊下棒２００が水平方向へ引っ張られても、不用意に挿入孔１５０から外れないようにしてある。そのため、図３に示すように、商品吊下棒２００を斜めに傾けた状態にしなければ、商品吊下棒２００の後端部２１０をバー１００の挿入孔１５０へ挿入できないようになっている。つまり、商品吊下棒２００の後端部２１０をバー１００の挿入孔１５０へ水平方向から挿入しようとしても、後端部２１０の係止部２１１が挿入孔１５０に当接して邪魔をして、後端部２１０が挿入孔１５０へ入らないようになっている。
【００２８】
そして、図３（ｂ）に示すように、作業者は、商品吊下棒２００の後端部２１０を挿入孔１５０から奥まで挿入すると、後端部２１０の先端が、バー１００の後壁１１０の下端１１１の内側に当接して、それ以上挿入出来なくなる。次に、作業者は商品吊下棒２００から手を離せば、商品吊下棒２００は自重により下方へ移動する。その際、商品吊下棒２００の後端部２１０は挿入孔１５０に挿入されているので、商品吊下棒２００は挿入孔１５０を中心に図面上時計回り（図３（ｂ）の矢印参照）に下方へ回動する。そして、商品吊下棒２００の後端部２１０は、案内溝１７０に挟み込まれて案内されるため、左右にずれることなく、商品吊下棒２００は下方へ移動することができる。なお、作業者が商品吊下棒２００から手を離すことで商品吊下棒２００は自重により下方へ移動しているが、これに限定されることはなく、作業者が商品吊下棒２００を手で持って下方へ移動させてもよい。
【００２９】
そして、商品吊下棒２００が下方へ移動した後は、図４に示すように、商品吊下棒２００はバー１００にしっかりと取り付けられた状態となり、商品吊下棒２００はバー１００から不用意に外れないようになる。
【００３０】
具体的には、商品吊下棒２００が下方へ移動した後は、商品吊下棒２００の後端部２１０の当接部２１２が、バー１００の支持面１４０に当接すると共に、商品吊下棒２００の係止部２１１が挿入孔１５０の裏面側に係止した状態となる。そのため、商品吊下棒２００は、下方にそれ以上移動することがない。また、係止部２１１が挿入孔１５０の裏面側に係止しているので、商品吊下棒２００が前方側へ不用意に抜けることはないのである。このようにして、商品吊下棒２００はバー１００にしっかりと取り付けられた状態となる。
【００３１】
特に、店頭等では商品吊下棒２００の中央部２２０に複数の商品が吊り下げられており、顧客等が前端部２３０側から商品を取り出す際に、商品吊下棒２００も一緒に前方側へ水平に引っ張ってしまうことがある。しかしながら、係止部２１１が挿入孔１５０の裏面側に係止しているので、商品吊下棒２００が前方側へ不用意に抜けることはないのである。また、顧客等が前端部２３０側から商品を取り出す際に、商品吊下棒２００も一緒に下方へ引っ張ってしまうことがある。しかしながら、係止部２１１が挿入孔１５０の裏面側に係止すると共に、後端部２１０の当接部２１２が支持面１４０に当接しているので、商品吊下棒２００が下方へ移動してしまうことはないのである。さらに、顧客等が前端部２３０側から商品を取り出す際に、商品吊下棒２００も一緒に上方へ引っ張ってしまうことがある。しかしながら、商品吊下棒２００の後端部２１０は、バー１００の上下方向に延びる案内溝１７０に挟み込まれているので、商品吊下棒２００の後端部２１０が案内溝１７０から外れにくくなっている。また、顧客等が前端部２３０側から商品を取り出し終えたら、商品吊下棒２００は再び自重によって下方へ移動するが、その際、商品吊下棒２００の後端部２１０は案内溝１７０に案内されて、図４に示す元の状態へ容易に、尚且つ正確に戻ることができるのである。
【００３２】
なお、作業者が商品吊下棒２００に商品を補充したい場合は、商品吊下棒２００の後端部２１０が案内溝１７０から外れるまで、商品吊下棒２００を挿入孔１５０中心に上方へ大きく回動させる。そして、そのまま商品吊下棒２００を挿入孔１５０から引き抜いて取り外し、新たな商品を商品吊下棒２００の後端部２１０から吊り下げる。そして、作業者は、図３及び図４を参照して説明した方法で、再び商品吊下棒２００をバー１００に取り付ければよい。
【００３３】
このように、本願発明の商品陳列用具３００によれば、商品吊下棒２００の後端部２１０の上面に設けられた係止部２１１が、バー１００の挿入孔１５０に挿入されて係止すると共に、商品吊下棒２００の後端部２１０の下面に設けられた当接部２１２がバー１００の支持面１４０に当接しているので、バー１００は商品吊下棒２００から不用意に外れることがなく、しっかりと取り付けられた状態となる。また、商品陳列用具３００は、バー１００と商品吊下棒２００によって構成されていることから、従来と比較して製造コストを抑えることが出来る。さらに、商品吊下棒２００の後端部２１０をバー１００の挿入孔１５０に挿入して係止させれば、商品吊下棒２００をバー１００に取り付けることができることから、取付け作業が非常に容易である。
【００３４】
さらに、本願発明の商品陳列用具３００によれば、バー１００の支持面１４０に案内溝１７０が形成されており、商品吊下棒２００をバー１００に取り付ける際に、案内溝１７０は商品吊下棒２００の後端部２１０を挟み込んで左右にずれないように案内することができる。そのため、商品吊下棒２００のバー１００への取付けが更に容易となる。
【００３５】
さらに、本願発明の商品陳列用具３００によれば、商品吊下棒２００の当接部２１２が平坦面であると共に、バー１００の支持面１４０も平坦面となっているので、当接部２１２と支持面１４０の形状とが一致して互いに面接触することから、商品吊下棒２００は、バー１００の支持面１４０により安定した状態でしっかりと支持される。なお、本実施形態では、当接部２１２と支持面１４０はそれぞれ平坦面であったが、これに限定されることはなく、当接部２１２が支持面１４０によって支持される構成であれば、当接部２１２と支持面１４０は任意の形状であってもよい。
【００３６】
さらに、本願発明の商品陳列用具３００によれば、商品吊下棒２００の中央部２２０側は、後端部２１０側よりも下方へ位置しているので、商品吊下棒２００を傾けてバー１００に着脱する際に、中央部２２０に吊り下げられた商品が不用意に後端部２１０側へ移動して落下しないようになっている。
【００３７】
なお、本願発明の商品陳列用具は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020127534.tif 000003
【図２】
2020127534.tif 000004
【図３】
2020127534.tif 000005
【図４】
2020127534.tif 000006
【図５】
2020127534.tif 000007